(57)【要約】防護衣類に使用される袖が、下方縁、上方縁、及び手袋フラップを含む。手袋フラップは上方縁及び位置決め用構成を含み、袖の上方縁と袖の下方縁の間に位置し、位置決め用構成は手袋フラップの上方縁の近位にあり、手袋フラップは、手袋フラップが袖の下方縁の下に位置するのに十分な長さを持っており、位置決め用構成はその位置に手袋フラップを維持するのに適している。
2005533188.tif 000002
【特許請求の範囲】
【請求項１】
本体と、
首部分と、
本体に取り付けられた２つの袖と、
を含み、それぞれの袖は下方縁及び上方縁を含み、少なくとも１つの袖が、
袖の上方縁と袖の下方縁との間に位置決め用構成と、
前記位置決め用構成及び袖の下方縁との間にある手袋フラップと、
を備え、前記手袋フラップが袖の下方縁に重なるように位置決め用構成を位置させるのに十分な長さを持ち、
前記少なくとも１つの袖は、該袖の下方縁に取り付けられた袖口を備える、
ことを特徴とする防護衣類。
【請求項２】
前記位置決め用構成は弾性部材を含むことを特徴とする請求項１に記載の防護衣類。
【請求項３】
手術用ガウンを構成することを特徴とする請求項１に記載の防護衣類。
【請求項４】
更に付加的位置決め用構成を含むことを特徴とする請求項１に記載の防護衣類。
【請求項５】
前記袖は更に、少なくとも袖の一部の粘着性を高めるのに適した表面変成剤を含むことを特徴とする請求項１に記載の防護衣類。
【請求項６】
前記表面変成剤はリッジとして形成されたことを特徴とする請求項５に記載の防護衣類。
【請求項７】
前記表面変成剤は位置決め用部材に近接した領域に施されることを特徴とする請求項５に記載の防護衣類。
【請求項８】
ガウン本体と、
ガウン本体にそれぞれ取り付けられた２つの袖と、
を含み、少なくとも１つの袖は、
下方縁、及び上方縁を持つ手袋フラップを含み、
前記手袋フラップは、袖の下方縁の上に位置され、手袋フラップの上方縁が袖の下方縁の下に位置するのに十分な長さを持つ、
ことを特徴とする手術用ガウン。
【請求項９】
更に、少なくとも１つの位置決め用構成が手袋フラップの上方縁の上に位置されていることを特徴とする請求項８に記載の手術用ガウン。
【請求項１０】
前記位置決め用構成は弾性部材を含むことを特徴とする請求項９に記載の手術用ガウン。
【請求項１１】
更に、２つの位置決め用構成を含むことを特徴とする請求項８に記載の手術用ガウン。
【請求項１２】
更に袖は、少なくとも袖の１つの粘着性を高めるために表面変成剤が施されていることを特徴とする請求項８に記載の手術用ガウン。
【請求項１３】
前記表面変成剤はリッジとして形成されていることを特徴とする請求項１２に記載の手術用ガウン。
【請求項１４】
前記表面変性剤は手袋フラップの上方縁に近接した領域に施されることを特徴とする請求項１２に記載の手術用ガウン。
【請求項１５】
前記表面変成剤は手袋フラップの下方縁に近接する領域に施されることを特徴とする請求項１２に記載の手術用ガウン。
【請求項１６】
下方縁と、
上方縁と、
手袋フラップと、
を含み、前記手袋フラップは、
上方縁及び、位置決め用構成を含み、
前記手袋フラップは、袖の上方縁と袖の下方縁の間に位置し、前記位置決め用構成は、手袋フラップの上方縁に近接して位置し、手袋フラップは、少なくとも手袋フラップの一部が袖の下方縁より下に位置するのに十分な長さを持っており、前記位置決め用構成が、前記手袋フラップをその位置に保持するようになった、
ことを特徴とする防護用衣類に使用するための袖。
【請求項１７】
更に、少なくとも１つの位置決め用構成が手袋フラップの上方縁の上に位置されることを特徴とする請求項１６に記載の袖。
【請求項１８】
位置決め用構成は弾性部材を含むことを特徴とする請求項１７に記載の袖。
【請求項１９】
更に、２つの位置決め用構成を含むことを特徴とする請求項１６に記載の袖。
【請求項２０】
袖は更に、該袖の少なくとも一部の粘着性を高めるための表面変成剤を含むことを特徴とする請求項１６に記載の袖。
【発明の詳細な説明】
【技術分野】
【０００１】
本発明は、一般的に手袋と共に使用される防護衣類に関する。
【背景技術】
【０００２】
バリア特性が与えるように設計された限られた使用回数の又は使い捨て可能な、手術用ガウン及び防護カバーオールを含む防護衣類及び衣服としては、多くの種類がある。このような防護衣類は、着用者が特定の周囲環境から隔離されることが望まれるか、又は、着用者の衣類を通して、危険な液体及び生物学的汚染の通過を阻止し又は遅らせることが望まれるような状況の下で使用される。
【発明の開示】
【発明が解決しようとする課題】
【０００３】
外科手術処置の環境においては、このような液体は、血液、唾液、汗などの患者の体液、及び血漿及び生理的食塩水などの生命維持液を含む。防護衣類は、衣類に使用される布のバリア特性、及び、衣類の構造とデザインに頼っている。特に縫い目が圧力を受け、及び／又は直接危険物質に接触するかもしれない位置に置かれる時、防護衣類の幾つかのタイプの開口又は縫い目は、不満足なものとなることがある。
【０００４】
防護衣類の着用者は、着用者と周囲環境の間の防護バリアを広げるために手袋を着用することが多い。手袋と防護衣類の間の界面は、着用者が危険な周囲環境に曝される可能性を考慮するとき、問題の領域となり得る。幾つかの例として、危険物質は衣類袖の上部に接触し衣類―手袋界面へ向かって下に流れ落ちる。このような環境においては、衣類―手袋界面は、危険物質が着用者に接触する状態になる可能性を持つ開口を提供することになる。更に、衣類ー手袋界面はくことがしばしばあり、直接危険物質に接触したり、又は危険物質の流れ経路になり易い。
【０００５】
加えて、手袋内側表面と袖又は袖口の外側表面の間の界面摩擦が手袋を適切な位置に維持するのに不十分な場合に、手袋の滑り落ち又は丸まりが起こる。
【０００６】
幾つかの防護衣類は、袖の縁に配置された袖口を含む。このような袖口は、様々な形態で構成することができ、液体撥水材料又は液体保持材料により形成することができる。幾つかの衣類では、衣類袖口が弾性材料から形成されることがある。弾性材料は、様々な布を含む。そのような布の例には、綿編地及びポリエステル編地が含まれる。
【０００７】
幾つかの場合において、手袋は、衣類―手袋界面において着用者に付加的防護を提供する袖口及び袖の一部に重なるようなサイズにすることができる。袖口が液体保持布により形成され、手袋が袖口上に配置される場合には、ガウン袖の中に形成される汗は、袖口内に集められる。袖口に保持される汗の量が増加すると、液体は衣類―手袋界面へ移動する。着用者の手及び腕の動きが、保持された汗の衣類―手袋界面への移動を促すことになる。周囲環境により発生した液体が袖及び袖口の領域で着用者の汗と接触すると、危険な液体の浸透が起きることがある。
【課題を解決するための手段】
【０００８】
本発明の様々な実施形態は、医療環境で使用される防護衣類に関している。衣類は、衣類本体、首部、及び衣類本体に取り付けた２つの袖が含まれる。それぞれの袖は下方縁及び上方縁を含む。
【０００９】
少なくとも１つの袖は、袖の下方縁の上に位置された手袋フラップを含むものとすることができる。手袋フラップは上方縁を持つことができる。手袋フラップは、手袋フラップの上方縁が袖の下方縁の下に位置するのに十分な長さを持つように構成することができる。
【００１０】
このような袖は、袖の上方縁と袖の下方縁の間に位置する位置決め用構成を含むことができ、更に幾つかの実施形態においては、手袋フラップの上方縁を定めることができる。位置決め用構成は、手袋フラップが袖の下方縁の下に位置された時、手袋フラップをその位置に保持するように構成することができる。
【００１１】
幾つかの実施形態においては、袖口を袖の下方縁に取り付けることができる。
【発明を実施するための最良の形態】
【００１２】
図１に示すように、本発明は防護衣類２０に関する。このような防護衣類２０は広い用途を持っており、本発明が医療用途に利用される時、本発明は例えば、カバーオール、ローブ、ガウンなどのような防護衣類が使用される場合であれば、どのようなものにも使用することができる。
【００１３】
衣類２０は、ガウン本体２２及び首部２４を含む。衣類２０は、更にガウン本体２２に縫い目２８で取り付けられている袖２６のような２つの袖を含む。それぞれの袖２６は、上方縁３０、下方縁３２及び外部表面３６を含む。ここで用いられる「下方」という用語は、概して着用者の手に近い方の特徴又は方向を意味するものである。同様に、「上方」という用語は、概して着用者の肩に近い特徴又は方向を意味するものである。
【００１４】
幾つかの実施形態においては、更に、図１及び図２に示すように、袖口３４は袖２６の下方縁３２に取り付けられている。本発明に有用な袖口は、様々な種類の材料から形成することができ、多くの異なった形態にすることができる。例えば、本発明では、編み材料で作られた、短く、しっかりと適合する袖口が使用されることがある。このような編み袖口は、ゴム編みを使用して、又は使用しないで形成することができる。本発明による衣類との使用に適した袖口は、米国特許第５，５９４，９５５号及び第５，６８０，６５３号に記載されており、これらの全体は、すべての目的について、引用によりここに組み入れられる。
【００１５】
図１及び２に示すように、少なくとも１つの袖２６が手袋フラップ４８を含む。手袋フラップ４８は、肩の縫い目２８と、袖２６の下方縁３２との間に位置する。手袋フラップ４８は、上方部分５０及び下方部分５４を含む。幾つかの実施形態においては、下方部分５４は、袖２６の下方縁３２に近位にある。手袋フラップ４８はまた、位置決め用構成４６を含んでおり、この位置決め用構成４６は、袖２６の上方縁３０と袖２６の下方縁３２との間に位置させることができる。位置決め用構成４６は、手袋フラップ４８の上方縁５０の上または下に位置させることができる。
【００１６】
図１及び５に示すように、位置決め用構成４６は、多くの異なる形態をとることができる。例えば、位置決め用構成４６は、袖２６の周囲に連続した状態であったり（図１参照）、又は様々な間隔で配置された短い切片７０のような、袖２６の周囲に連続しない状態とすることができる（図５参照）。
【００１７】
本発明の防護衣類２０及び袖２６は、多くの異なるタイプの材料が利用することができる。これらの材料は、再使用可能であるか、又は使い捨て可能なものとすることができる。例えば、不織布、織布、フィルム、フィルム／発泡体積層体及びそのような材料の組み合わせ、及び同様な材料を、本発明において使用することができる。本発明に使用するのに特に適した材料は、「ＳＭＳ」すなわちスパンボンドーメルトブローンースパンボンド積層体としてよく知られている、３層不織ポリプロピレンである。このような材料は、Ｂｒｏｃｋ他の米国特許第４，０４１，２０３号に記載されている。
【００１８】
図２及び３に示されるように、防護衣類は、着用者の手４２の上に配置される手袋４０のような手袋とともに使用されることが多い。図２に示されるように、手袋端４１は、しばしば手袋―袖界面の間への望ましくない材料の侵入を阻止するために、防護衣類２０の袖口３４上に配置される。
【００１９】
図３に示すように、手袋フラップ４８は、上方部分５０から下方部分５４までを測った値で，手袋フラップ４８の少なくとも一部が、袖２６の下方縁３２の下と，手袋縁４１の下及びその上に位置するのに、十分な長さを持つようにすることができる。こういう状態に手袋フラップ４８を位置させることは、更に手袋−袖界面の間への望ましくない材料の侵入の阻止を助ける。
【００２０】
図４に示されるように、手袋フラップ４８は、手袋フラップ４８が手袋４０の手袋縁４１上をその下まで延び、袖口３４の端３８上を通りその下に位置されるような位置に動かすことができる。このような実施形態は、位置決め用構成４６が、手袋４０の下に形成されたリッジにより適切な位置に手袋フラップ４８を保持することを、袖口３４の端３８により助勢する。
【００２１】
位置決め用構成４６は、手袋フラップ４８が図３及び４に示された位置に保持されることを可能にする。位置決め用構成４６は、種々の形に形成することができ、図１−３に示すように、弾性部材として形成されることができる。このような弾性部材５２は、袖２６にいろいろな形で適用することができる。例えば、弾性部材５２は、袖２６の内部表面又は外部表面に直接押し出すことができる。幾つかの実施形態において、部材５２は、袖２６上に配置し、例えば熱加工のような、次の工程によって、部材５２を弾性化することができる。
【００２２】
選択された実施形態において、弾性部材５２は弾性化されたテープにより形成され、接着剤その他により袖２６に接着される。望ましい場合には、弾性部材は、袖２６に縫い付けることができる。このような実施形態において、縫い目は、袖２６の縫い目に形成された孔から危険な液体が通り抜けないように、次の操作によりシールすることができる。
【００２３】
特定の実施形態において、手袋―袖口界面の間を危険な液体が通過する可能性を減少するために、２つ又はそれより多い位置決め用構成を利用することができる。図５及び６に示すように、袖２６は位置決め用構成４６及び付加的位置決め用構成５６を持つ、手袋フラップ４８を含むことができる。選択された実施形態において、付加的位置決め用構成５６は、位置決め用構成４６の上に位置させることができる。位置決め用構成４６及び５６は、衣類２０の必要性に応じて、類似した又は異なった形態を持つものとすることができる。図６に示すように、手袋フラップ４８は、位置決め用部材４６が手袋４０の縁４１の下に位置するように配置することができる。図６に更に示すように、位置決め用部材５６は、袖口３４の縁３８の下に位置させることができる。
【００２４】
次に図７及び８を参照すると、位置決め用部材４６は、比較的大きな幅を持ったバンドとして構成される。本発明の位置決め用部材４６では、多くの様々な幅が使用できる。このような位置決め用部材４６が、袖口３４の縁３８の下に位置させられる時、位置決め用部材の幅は、更に袖口３４の下の位置決め用部材４６を保持するのを助ける。比較的幅の広い位置決め用部材４６は、更に位置決め用部材を越えて体液が流れ落ちる機会を減少する。これらの構成は、手袋フラップ４８が、手袋―袖口界面を通して危険な体液が通過するのを阻止する可能性を増加する。
【００２５】
位置決め用部材４６は、幾つかの実施形態において、位置決め用部材４６が衣類―袖の界面の下に位置する時、位置決め用部材４６が着用者の手又は手首に順応するように、着用者の腕４４に向かって袖２６の材料をギャザー付けしながら寄せる。
【００２６】
幾つかの実施形態において、袖２６の表面３６は、手袋４０の縁を越えて手袋フラップ４８の保持を助けるように修正することができる。図５及び９に示されるように、袖２６の粘着性を高めるために、表面変成剤が袖２６の表面３６に施される。袖２６の表面粘着性を高めることは、手袋フラップ４８を望む位置に保持する可能性を増加する。例えば、エチレンビニールアセテート・コポリマー、スチレン・ブタジエン、セルロースアセテート酪酸塩、エチルセルロース、例えば、Ｋｒａｙｔｏｎ（登録商標）ブロックコポリマー、天然ゴム、ポリエチレン、ポリアミド、可撓性ポリオレフィン、及びアモルファスポリアルファオレフィンなどを含む合成ゴムなどの様々な表面変成剤が、本発明では使用できる。これらの材料は、例えば、メルトスプレー、スロットコーティング及び印刷塗布のような様々な方法で、衣類に施される。
【００２７】
例えば図５に示すように、上述した組成物及び同様の組成物のような表面変成剤は、袖２６上の領域６０及び６２に配置される。図５に見られるように、領域６０は位置決め用部材４６の下に位置し、領域６２は位置決め用部材５６の下に位置する。次に図９を参照にすると、２つのリッジ６４及び６６は、位置決め用部材４６の下の袖２６上に位置する。このような実施形態において、リッジの粘着性及び高さは、リッジ６４及び６６が手袋―袖界面の上の位置方向に手袋フラップ４８を移動させないように、必要な位置に手袋フラップ４８を保持することを助けることができる。図１０に示すように、リッジ６８は、位置決め用部材４６上に位置し、幾つかの実施形態において、及び図１０に示すように、リッジ６４とともに使用される。このような表面変成要素の様々な形態のいずれも、本発明で使用することができる。
【００２８】
本発明は、発明的特徴の範囲及び思想から離れることなく、他の特別な形態で実施することができる。したがって、本発明の実施形態は、制限的ではなくすべての点で例示的なものと考えるべきである、本発明の範囲は前述した説明ではなく、添付した特許請求の範囲の請求項により示され、請求項と同等の意味及び範囲で成されるすべての変更は、その範囲に含まれるものである。
【図面の簡単な説明】
【００２９】
【図１】本発明による防護衣類の実施形態の一部破断側面図である。
【図２】本発明の実施形態の一部の斜視図である。
【図３】手袋上に位置させられた手袋フラップを示す図２による本発明の実施形態の一部の斜視図である。
【図４】図２による本発明の実施形態の一部破断斜視図で、手袋上で袖口の端を越えて位置するように位置させられた手袋フラップを示す。
【図５】本発明の別の実施形態の一部の斜視図である。
【図６】図５に示された実施形態の一部破断斜視図で、手袋を超えて位置させられた手袋フラップを示す。
【図７】本発明の更に別の実施形態の一部の斜視図である。
【図８】図７に描かれた実施形態の一部破断斜視図で、手袋上で袖口の縁を越えて位置するように位置させられた手袋フラップを示す。
【図９】本発明による防護衣類の代替的実施形態の一部の側面図である。
【図１０】本発明による防護衣類の別の代替的実施形態の一部の側面図である。
【符号の説明】
【００３０】
２０  衣類
２２  ガウン本体
２４  首部
２６  袖
２８  縫い目
３０  上方縁
３２  下方縁
３４  袖口
３６  外部表面
４０  手袋
４６  位置決め用構成
４８  手袋フラップ
５２  弾性部材
５６  位置決め用部材
６４  リッジ
６６  リッジ
６８  リッジ
【図１】
2005533188.tif 000003
【図２】
2005533188.tif 000004
【図３】
2005533188.tif 000005
【図４】
2005533188.tif 000006
【図５】
2005533188.tif 000007
【図６】
2005533188.tif 000008
【図７】
2005533188.tif 000009
【図８】
2005533188.tif 000010
【図９】
2005533188.tif 000011
【図１０】
2005533188.tif 000012
【国際調査報告】
2005533188.tif 000013
2005533188.tif 000014
2005533188.tif 000015